(57)【要約】【課題】ガスバーナの火炎の影響で操作部が高温になることを効果的に抑えることができるガスこんろを提供する。【解決手段】本開示のガスこんろは、天板部１、ガスバーナ２、操作部３、及び遮熱壁４を備える。天板部１には、バーナ挿通孔１１が上下に貫通形成されている。ガスバーナ２は、バーナ挿通孔１１を通じて天板部１の上方に突出する。操作部３は、ガスバーナ２の火力操作のために天板部１の一部分に設けられている。遮熱壁４は、ガスバーナ２と操作部３の間に位置するように天板部１に立設されている。遮熱壁４の下部は、遮熱壁４の他の部分よりも断熱性が高い断熱部分４Ａを含む。【選択図】図１
2020085322.tif 000002
【特許請求の範囲】
【請求項１】
バーナ挿通孔が上下に貫通形成された天板部と、
前記バーナ挿通孔を通じて前記天板部の上方に突出するガスバーナと、
前記ガスバーナの火力操作のために前記天板部の一部分に設けられた操作部と、
前記ガスバーナと前記操作部の間に位置するように前記天板部に立設された遮熱壁と、を備え、
前記遮熱壁の下部は、前記遮熱壁の他の部分よりも断熱性が高い断熱部分を含む
ガスこんろ。
【請求項２】
前記断熱部分は、前記遮熱壁を厚み方向に貫通する少なくとも一つの通気孔を含む
請求項１に記載のガスこんろ。
【請求項３】
前記通気孔は、前記遮熱壁の下端縁から切り欠かれた形状を有し、
前記遮熱壁は、前記通気孔の箇所において前記天板部と非接触である
請求項２に記載のガスこんろ。
【請求項４】
前記操作部は、操作用のスイッチを含み、
平面視において、前記スイッチは前記断熱部分と対向する位置にある
請求項１から３のいずれか一項に記載のガスこんろ。
【発明の詳細な説明】
【技術分野】
【０００１】
本発明は、ガスこんろに関する。
【背景技術】
【０００２】
天板部の一部分に操作部が設けられたガスこんろにおいては、ガスバーナの火炎から生じる輻射熱の影響で、操作部の温度が上昇するという問題があった。この問題を解消するために、例えば特許文献１には、ガスバーナと操作部の間に遮熱壁を設けることが開示されている。
【先行技術文献】
【特許文献】
【０００３】
【特許文献１】特開２００５−１４０３９６号公報
【発明の概要】
【発明が解決しようとする課題】
【０００４】
上記した従来の技術では、ガスバーナでの加熱を継続的に行っていると、輻射熱の影響で高温となった遮熱壁から、天板部を介して操作部にまで熱が伝わり、これを原因として操作部が高温になることがあった。
【０００５】
本発明は、ガスバーナの火炎から生じる輻射熱の影響で操作部が高温になることを抑え、かつ、天板部を介した熱伝導で操作部が高温になることを抑えることができるガスこんろを提供することを、目的とする。
【課題を解決するための手段】
【０００６】
本発明の一態様に係るガスこんろは、バーナ挿通孔が上下に貫通形成された天板部と、前記バーナ挿通孔を通じて前記天板部の上方に突出するガスバーナと、前記ガスバーナの火力操作のために前記天板部の一部分に設けられた操作部と、前記ガスバーナと前記操作部の間に位置するように前記天板部に立設された遮熱壁と、を備える。前記遮熱壁の下部は、前記遮熱壁の他の部分よりも断熱性が高い断熱部分を含む。
【発明の効果】
【０００７】
本発明は、ガスバーナの火炎から生じる輻射熱の影響で操作部が高温になることを抑え、かつ、天板部を通じた熱伝導で操作部が高温になることを抑えることができるという効果を奏する。
【図面の簡単な説明】
【０００８】
【図１】図１は、一実施形態のガスこんろの斜視図である。
【図２】図２は、同上のガスこんろの要部平面図である。
【図３】図３は、図２のＡ−Ａ線断面である。
【図４】図４は、同上のガスこんろが備える天板部の正面図である。
【図５】図５は、同上の天板部の分解斜視図である。
【図６】図６は、同上のガスこんろの第１変形例が備える天板部の正面図である。
【図７】図７は、同上のガスこんろの第２変形例が備える天板部の正面図である。
【図８】図８は、同上のガスこんろの第３変形例が備える天板部の正面図である。
【発明を実施するための形態】
【０００９】
（一実施形態）
本開示のガスこんろについて、一実施形態に基づいて説明する。図１には、一実施形態のガスこんろの全体を示している。
【００１０】
以下の説明では、一実施形態のガスこんろに対して使用者が位置する側を前側とし、これの反対側を後ろ側とする。以下の説明で用いる左側と右側は、使用者の視点を基準とする。
【００１１】
一実施形態のガスこんろは、ビルトインこんろである。一実施形態のガスこんろは、例えばキャビネット内に組み込まれて用いられる。
【００１２】
一実施形態のガスこんろは、上端が開口した金属製の筐体８と、筐体８の上端の開口を閉じるように筐体８に固定された天板部１と、筐体８の内側に組み付けられた２つのガスバーナ２を備える。
【００１３】
天板部１は、金属材料（例えばステンレス）を用いて、全体が平板状に成形されている。天板部１の上面は平坦であるが、天板部１の上面が凹凸を有しても構わない。天板部１には、２つのバーナ挿通孔１１が上下に貫通形成されている。２つのバーナ挿通孔１１は、前後に並んで位置する２つの丸孔状のバーナ挿通孔１１である。
【００１４】
２つのバーナ挿通孔１１を通じて、２つのガスバーナ２の上部が、それぞれ天板部１の上方に突出している。具体的には、前側のガスバーナ２が備えるバーナ本体２２の上部と、これに載置されたバーナキャップ２４が、前側のバーナ挿通孔１１を通じて上方に突出している。また、後ろ側のガスバーナ２が備えるバーナ本体２２の上部と、これに載置されたバーナキャップ２４が、後ろ側のバーナ挿通孔１１を通じて上方に突出している。
【００１５】
バーナ本体２２には、筐体８の内側に組み付けられた管路を通じて、燃焼用のガスが供給される。バーナ本体２２は、上面に開口を有する。
【００１６】
バーナキャップ２４は、バーナ本体２２の開口の上方を覆うように、バーナ本体２２に装着され、バーナキャップ２４の外周面には、その全周に亘って炎孔部２４５が形成されている。炎孔部２４５には、周方向に距離をあけて複数の炎孔が形成されている。複数の炎孔からは、バーナ本体２２を通じて供給されたガスが、外側方に向けて放出される。
【００１７】
ガスバーナ２は、炎孔部２４５から放出されたガスに着火させるための点火プラグ２８を、更に備えている。点火プラグ２８は、バーナ本体２２の外周部分に装着されている。
【００１８】
天板部１の上面には、２つの五徳９が着脱自在に配置されている。２つの五徳９は、前側のバーナ挿通孔１１を囲むように配置された前側の五徳９と、後ろ側のバーナ挿通孔１１を囲むように配置された後ろ側の五徳９である。
【００１９】
更に、天板部１のうち前側の端部１５の上面には、前後のガスバーナ２の火力操作を行うための操作部３が設けられている。ここでの火力操作は、ガスバーナ２の点火、消火及び火力調整の各操作を含む。操作部３は、前側のガスバーナ２よりも、更に前側に位置する。
【００２０】
操作部３は、加熱モードの切り替え操作を行うための押しボタン式のスイッチ３１と、２つのガスバーナ２の火力操作を個別に行うための２つの摘み部３２を含む。２つの摘み部３２は、左右に距離をあけて位置する。左右の摘み部３２の間に、スイッチ３１が位置する。
【００２１】
左右の摘み部３２とスイッチ３１は、いずれも天板部１に設けた開口部分１３（図５参照）を通じて、天板部１の上方から装着される。左右の摘み部３２は、スイッチ３１よりも高い位置にある。
【００２２】
使用者が、例えば３秒の所定時間を超えてスイッチ３１を長押しすることで、加熱モードが自動的に切り替わる。ここで切り替わる複数の加熱モードは、例えば通常の加熱モードと高温加熱モードである。高温加熱モードでは、通常の加熱モードよりも高温での加熱調理が可能となる。
【００２３】
ガスバーナ２を点火させる際には、使用者が、そのガスバーナ２と対応する箇所の摘み部３２を、消火位置から点火位置まで回転させる。これにより、ガスバーナ２の炎孔部２４５からガスが放出され、かつ点火プラグ２８によるスパークが開始されて、点火が行われる。
【００２４】
点火後は、使用者が、摘み部３２を適宜の位置まで回転させることで、所望の加熱量を得るべく燃料ガスの流量を調節することができる。消火の際には、使用者が、摘み部３２を消火位置まで回転させることで、燃料ガスの流量が絞られるとともに安全弁が閉じ、消火が行われる。
【００２５】
一実施形態のガスこんろでは、天板部１のうち、操作部３が位置する部分（つまり天板部１の前側の端部１５）と、２つのガスバーナ２が位置する部分（つまり天板部１のうち端部１５を除いた部分）との間に、板状の遮熱壁４が立設されている。
【００２６】
遮熱壁４は、２つのガスバーナ２（特に前側のガスバーナ２）の火炎から生じる輻射熱の影響で操作部３が高温になることを抑えるための平面視直線状の壁である。
【００２７】
遮熱壁４は、金属材料（例えばアルミニウム）を用いて、中実の長板状に成形されている。遮熱壁４は、図５に示す左右のねじ具７を用いて、天板部１の上面に固定されている。遮熱壁４は、左右のねじ孔４７を有する。遮熱壁４の下端面に形成された左右のねじ孔４７に対して、天板部１を通じて下方からねじ具７を挿し込んで結合させることで、遮熱壁４と天板部１が一体化する。
【００２８】
一実施形態のガスこんろにおいて、遮熱壁４には、遮熱壁４の厚み方向に貫通する通気孔４２が形成されている。通気孔４２は、長板状である遮熱壁４の下端縁から切り欠かれた形状を有する。
【００２９】
遮熱壁４の厚み方向は、一実施形態のガスこんろの前後方向と一致する。同様に、遮熱壁４の長手方向は、一実施形態のガスこんろの左右方向と一致し、遮熱壁４の幅方向は、一実施形態のガスこんろの上下方向と一致する。
【００３０】
遮熱壁４の下端縁は、通気孔４２が形成されていない部分において天板部１と接触し、通気孔４２が形成されている部分においては天板部１と非接触である。通気孔４２は、遮熱壁４のうち左右の中間部分に形成されている。遮熱壁４のうち通気孔４２を挟んだ左右両側の部分が、天板部１と接触するように設けられた左右の端部である。この左右の端部に、左右のねじ孔４７が形成されている。
【００３１】
遮熱壁４の通気孔４２には空隙が形成され、この空隙部分が、遮熱壁４の他の部分よりも大幅に高い断熱性を有する。一実施形態のガスこんろでは、遮熱壁４を厚み方向に貫通する通気孔４２の空隙部分が、他の部分よりも断熱性が高い断熱部分４Ａを構成している。
【００３２】
遮熱壁４の下部に通気孔４２（つまり断熱部分４Ａ）が位置することで、輻射熱の影響で遮熱壁４が高温になったときに、遮熱壁４の熱が天板部１に伝わることが抑えられ、ひいては、天板部１を介して操作部３にまで伝わることが抑えられる。
【００３３】
遮熱壁４の下部は、遮熱壁４を上下に２分割したときの下側の部分であり、換言すると、遮熱壁４のうち下から１／２の範囲内の部分である。この実施形態においては、遮熱壁４のうち通気孔４２が位置する部分は、遮熱壁４を上下に３分割したときの最も下側の部分であり、換言すると、遮熱壁４のうち下から１／３の範囲内の部分である。
【００３４】
操作部３のなかでも、スイッチ３１は天板部１に近い位置にあり、かつ使用者が長押しをするように構成されているので、スイッチ３１の温度上昇を抑えることができれば、使用者にとっては火力操作が一層快適となる。
【００３５】
これに対して、一実施形態のガスこんろでは、平面視において（図２参照）、遮熱壁４のうち通気孔４２が位置する領域Ｒ１と、遮熱壁４のうちスイッチ３１と対向する領域Ｒ３とを対比したときに、領域Ｒ１に領域Ｒ３が含まれるように設計している。
【００３６】
つまり、遮熱壁４のうち最もスイッチ３１と近い領域Ｒ３を含むように、断熱効果を有する通気孔４２が位置するので、スイッチ３１に近い部分において遮熱壁４から天板部１への熱伝導が抑えられ、スイッチ３１の温度上昇が効果的に抑制される。領域Ｒ３は、換言すると、遮熱壁４のうち平面視においてスイッチ３１が正射影される領域である。
【００３７】
加えて、一実施形態のガスこんろでは、ガスバーナ２の火炎に向かう空気の流れが、遮熱壁４の通気孔４２を通じて発生する（図３中の矢印参照）。この空気の流れは、一実施形態のガスこんろの周囲に存在する室温の外気が、操作部３（特にスイッチ３１）の近傍を通ってガスバーナ２に向かう流れである。そのため、通気孔４２を通じて生じる空気の流れが空冷効果を奏し、操作部３の温度上昇を更に抑制する。
【００３８】
図３に示すように、一実施形態のガスこんろでは、ガスバーナ２の炎孔部２４５は、通気孔４２の上縁よりも高く位置する。スイッチ３１は、通気孔４２の上縁よりも低く位置する。
【００３９】
通気孔４２を通じて生じる空気の流れは、スイッチ３１だけでなく摘み部３２の温度上昇も抑制する。また、この空気の流れは、通気孔４２を通過するときに遮熱壁４の温度上昇を抑える機能も有する。したがって、一実施形態のガスこんろによれば、輻射熱の影響で遮熱壁４が高温になることに起因する操作部３の温度上昇を、効果的に抑制することが可能である。
【００４０】
（変形例）
次に、一実施形態のガスこんろの各種の変形例について説明する。以下の変形例の説明において、一実施形態のガスこんろで説明した構成と同様の構成については、同一符号を付して詳しい説明を省略する。
【００４１】
図６に示す第１変形例では、遮熱壁４を厚み方向に貫通する３つの通気孔４２の空隙部分で、他の部分よりも断熱性が高い断熱部分４Ａを形成している。３つの通気孔４２は、左右方向において互いに距離をあけて位置する。３つの通気孔４２は、いずれも遮熱壁４の下端縁から切り欠かれた形状を有する。
【００４２】
遮熱壁４には、少なくとも一つの通気孔４２が形成されていればよい。遮熱壁４に複数の通気孔４２が形成されている場合、そのうち少なくとも一つの通気孔４２が、遮熱壁４の下端縁から切り欠かれた形状を有していればよい。
【００４３】
第１変形例では、左右に並んで位置する３つの通気孔４２のうち、真ん中の通気孔４２が、遮熱壁４のなかでもスイッチ３１と近い領域に位置する。左側の通気孔４２は、遮熱壁４のうち左側の摘み部３２と近い領域に位置し、右側の通気孔４２は、遮熱壁４のうち右側の摘み部３２と近い領域に位置する。
【００４４】
第１変形例においても、３つの通気孔４２の空隙部分が奏する断熱効果と、３つの通気孔４２を通じて空気が流れることによる空冷効果によって、操作部３の温度上昇（すなわちスイッチ３１及び左右の摘み部３２の温度上昇）が、効果的に抑制される。
【００４５】
図７に示す第２変形例では、遮熱壁４を厚み方向に貫通する２つのスリット状の通気孔４２の空隙部分が、他の部分よりも断熱性が高い断熱部分４Ａを構成している。２つのスリット状の通気孔４２は、互いに平行な２本の直線状の貫通孔である。スリット状の通気孔４２の数は２つに限定されず、１つ又は３つ以上でもよい。また、通気孔４２の形状もスリット状には限定されない。
【００４６】
第２変形例において、通気孔４２は、スイッチ３１と左右両側の摘み部３２のいずれもが平面視において対向する位置関係となるように、左右に長く形成されている。この通気孔４２が、それぞれ左右に分断された形状を有してもよい。
【００４７】
第２変形例においても、スリット状の通気孔４２の空隙部分が奏する断熱効果と、この通気孔４２を通じて空気が流れることによる空冷効果によって、操作部３の温度上昇が効果的に抑制される。
【００４８】
図８に示す第３変形例では、遮熱壁４に通気孔４２を形成するのではなく、遮熱壁４の一部を断熱材４４で形成することで、遮熱壁４の下部の断熱部分４Ａを構成している。一例として、断熱材４４は、耐熱性を有するシリコーンである。
【００４９】
第３変形例において、断熱材４４は、スイッチ３１と左右両側の摘み部３２のいずれとも対向するように、左右に長く形成されている。なお、第３変形例では左右に細長く形成されている断熱材４４が、更に左右に分断された形状を有してもよい。
【００５０】
第３変形例では、長板状である遮熱壁４の下端縁部の一部分（左右の中間部分）が断熱材４４で形成されているが、これとは別の部分が断熱材４４で形成されてもよい。
【００５１】
また、第３変形例では、遮熱壁４のうち断熱材４４で形成された部分が天板部１に接触しているが、断熱材４４と天板部１の間に空隙部分を設けてもよい。
【００５２】
第３変形例においても、遮熱壁４の下部に断熱材４４が位置することで、輻射熱の影響で遮熱壁４が高温になったときに、遮熱壁４の熱が天板部１に伝わることが抑えられ、ひいては、天板部１を介して操作部３にまで伝わることが抑えられる。
【００５３】
（作用効果）
一実施形態及びこれの変形例に基づいて説明したように、本開示のガスこんろは、第１の特徴として以下の構成を備える。本開示のガスこんろは、天板部１、ガスバーナ２、操作部３、及び遮熱壁４を備える。天板部１には、バーナ挿通孔１１が上下に貫通形成されている。ガスバーナ２は、バーナ挿通孔１１を通じて天板部１の上方に突出する。操作部３は、ガスバーナ２の火力操作のために天板部１の一部分に設けられている。遮熱壁４は、ガスバーナ２と操作部３の間に位置するように天板部１に立設されている。遮熱壁４の下部は、遮熱壁４の他の部分よりも断熱性が高い断熱部分４Ａを含む。
【００５４】
第１の特徴を備える本開示のガスこんろによれば、ガスバーナ２と操作部３の間に遮熱壁４が位置することによって、ガスバーナ２の火炎から発生する輻射熱の影響で操作部３が高温になることが抑えられる。加えて、第１の特徴を備える本開示のガスこんろによれば、高温となった遮熱壁４の熱が天板部１に伝わることが抑えられ、天板部１を介した熱伝導で操作部３が高温になることが抑えられる。したがって、第１の特徴を備える本開示のガスこんろによれば、使用中に操作部３が高温となることが効果的に抑制される。
【００５５】
本開示のガスこんろは、第２の特徴として、第１の特徴に加えて以下の構成を備える。本開示のガスこんろにおいて、断熱部分４Ａは、遮熱壁４を厚み方向に貫通する少なくとも一つの通気孔４２を含む。
【００５６】
第２の特徴を備える本開示のガスこんろによれば、ガスバーナ２の火炎に向かう空気の流れが、少なくとも一つの通気孔４２を通じて発生するので、この空気の流れが及ぼす空冷効果によって、操作部３が高温となることがより効果的に抑制される。
【００５７】
本開示のガスこんろは、第３の特徴として、第２の特徴に加えて以下の構成を備える。本開示のガスこんろにおいて、通気孔４２は、遮熱壁４の下端縁から切り欠かれた形状を有する。遮熱壁４は、通気孔４２の箇所において天板部１と非接触である。
【００５８】
第３の特徴を備える本開示のガスこんろによれば、高温となった遮熱壁４の熱が天板部１に伝わることが、より効果的に抑制される。
【００５９】
本開示のガスこんろは、第４の特徴として、第１から第３のいずれか一つの特徴に加えて以下の構成を備える。本開示のガスこんろにおいて、操作部３は、操作用の（例えば押しボタン式の）スイッチ３１を含む。平面視において、スイッチ３１は断熱部分４Ａと対向する位置にある。
【００６０】
第４の特徴を備える本開示のガスこんろによれば、ガスバーナ２の火炎の影響でスイッチ３１が高温となることが、効果的に抑制される。
【００６１】
なお、本開示のガスこんろが具備する各構成は、上述した実施形態のものに限定されない。例えば、上述した実施形態においてガスこんろはビルトインこんろであるが、これに限定されず、例えばテーブルこんろでもよい。上述した実施形態において、ガスこんろはオーブンを備えていないが、これに限定されず、オーブン付きのガスこんろでもよい。また、上述した実施形態において、ガスこんろはガスバーナ２を２つ備えているが、これに限定されず、１つ又は３つ以上のガスバーナ２を備えてもよい。
【００６２】
上述した実施形態の遮熱壁４の構成も一例に過ぎず、同様の作用効果を奏する範囲内において、適宜に設計変更が可能である。例えば、第１から第３変形例で示した遮熱壁４の構成を、適宜に組み合わせることも可能である。
【符号の説明】
【００６３】
１  天板部
１１  バーナ挿通孔
２  ガスバーナ
３  操作部
３１  スイッチ
４  遮熱壁
４Ａ  断熱部分
４２  通気孔
【図１】
2020085322.tif 000003
【図２】
2020085322.tif 000004
【図３】
2020085322.tif 000005
【図４】
2020085322.tif 000006
【図５】
2020085322.tif 000007
【図６】
2020085322.tif 000008
【図７】
2020085322.tif 000009
【図８】
2020085322.tif 000010